(57)【要約】  本発明は、第１の波長の光を放つ光源１０１，２０１，３０１と、前記第１の波長の光を受け、受けた光の少なくとも一部を第２の波長の光に変換する波長変換材料を有する波長変換部材１０６，２０６，３０６と、少なくとも前記波長変換部材を有し、制御された雰囲気を有する封止キャビティ１０５，２０５，３０５を形成するために、前記波長変換部材を少なくとも部分的に囲む封止構造１０３と、前記封止キャビティ内に配置されたゲッタ材料１０８，２０８，３０８と、を有し、前記ゲッタ材料は、水の存在下で機能し、及び／又は、反応生成物として水を作り出す、発光装置１００，２００，３００を提供する。かかるゲッタ材料は、封止キャビティ内の雰囲気から酸素を除去する高い能力を持つので、低い酸素濃度がキャビティ内で保たれる。このため、波長変換材料の寿命が延ばされ得る。
2013545263.tif 000002
【特許請求の範囲】
【請求項１】
第１の波長の光を放つ光源と、
前記第１の波長の光を受け、受けた光の少なくとも一部を第２の波長の光に変換する波長変換材料を有する波長変換部材と、
少なくとも前記波長変換部材を有し、制御された雰囲気を有する封止キャビティを形成するために、前記波長変換部材を少なくとも部分的に囲む封止構造と、
前記封止キャビティ内に配置されたゲッタ材料と、を有し、
前記ゲッタ材料は、水の存在下で機能し、及び／又は、反応生成物として水を作り出す、発光装置。
【請求項２】
前記ゲッタ材料は、前記封止キャビティ内の制御された雰囲気から酸素を取り除く、請求項１記載の発光装置。
【請求項３】
前記ゲッタ材料は、被酸化性金属、少なくとも１つのプロトン性溶媒加水分解性ハロゲン化合物、及び／又は、プロトン性溶媒加水分解性ハロゲン化合物の付加物、を含む粒子を有する、請求項１記載の発光装置。
【請求項４】
前記プロトン性溶媒加水分解性ハロゲン化合物、及び／又は、プロトン性溶媒加水分解性ハロゲン化合物の付加物は、被酸化性金属を有する粒子の上に置かれる、請求項３記載の発光装置。
【請求項５】
前記ハロゲン化合物は、塩化ナトリウム（ＮａＣｌ）、四塩化チタン（ＴｉＣｌ４）、四塩化スズ（ＳｎＣｌ４）、塩化チオニル（ＳＯＣｌ２）、四塩化ケイ素（ＳｉＣｌ４）、塩化ホスホリル（ＰＯＣｌ３）、ｎ−ブチル塩化スズ、塩化アルミニウム（ＡｌＣｌ３）、臭化アルミニウム（ＡｌＢｒ３）、塩化鉄（III）、塩化鉄（II）、臭化鉄（II）、三塩化アンチモン（ＳｂＣｌ３）、五塩化アンチモン（ＳｂＣｌ５）、及び、ハロゲン化酸化アルミニウム（aluminium halide oxide）を含むグループから選択される、請求項３記載の発光装置。
【請求項６】
前記ゲッタ材料は、被酸化性金属及び電解物を有する、請求項１記載の発光装置。
【請求項７】
前記電解物は、塩化ナトリウムを有する、請求項６記載の発光装置。
【請求項８】
前記ゲッタ材料は、非電解酸性化成分を更に有する、請求項６記載の発光装置。
【請求項９】
前記被酸化性金属は、鉄である、請求項３又は６に記載の発光装置。
【請求項１０】
前記ゲッタ材料は、水含有化学物質を更に有する、請求項３又は６に記載の発光装置。
【請求項１１】
前記封止構造は、前記キャビティを封止するシールを有し、前記シールは、酸素に対して非密封性且つ透過性を持つ、請求項１記載の発光装置。
【請求項１２】
前記波長変換部材及び前記光源は、互いに離れて置かれる、請求項１記載の発光装置。
【請求項１３】
前記波長変換材料は、有機波長変換化合物を有する、請求項１記載の発光装置。
【請求項１４】
前記光源は、少なくとも１つのＬＥＤを有する、請求項１記載の発光装置。
【請求項１５】
前記少なくとも１つのＬＥＤは、無機ＬＥＤである、請求項１４記載の発光装置。
【発明の詳細な説明】
【技術分野】
【０００１】
本発明は、制御された雰囲気を必要とする波長変換化合物を含んだ発光装置に関する。
【背景技術】
【０００２】
発光ダイオード（ＬＥＤ）ベースの照明装置は、幅広い種類の照明アプリケーションでますます使用されつつある。ＬＥＤは、白熱ランプ及び蛍光ランプなどの伝統的な光源に勝る、長寿命、高ルーメン効率、低動作電圧、及び、ルーメン出力の高速変調を含む利点を提供する。
【０００３】
高効率の高出力ＬＥＤは、しばしば、青色発光材料に基づいている。所望の色（例えば、白色）出力を有するＬＥＤベースの照明装置を製造するために、ＬＥＤによって放たれた光の一部をより長い波長の光に変換して、所望のスペクトル特性を有する光の組み合わせを作る、蛍光体として周知である、適切な波長変換材料が使用され得る。当該波長変換材料は、ＬＥＤダイ上に直接付与されてもよいし、又は、蛍光体から一定距離のところに配置（いわゆるリモート配置）されてもよい。例えば、蛍光体は、装置を封入する封止構造の内面上に付与されてもよい。
【発明の概要】
【発明が解決しようとする課題】
【０００４】
多くの無機材料が、ＬＥＤによって放たれた青色光をより長い波長の光へ変換するための蛍光体材料として使用されてきた。しかしながら、無機蛍光体は、比較的に高価であるという欠点を有する。さらに、無機ＬＥＤ蛍光体は、光散乱粒子であり、このため、入射光の一部を常に反射し、これは、装置の効率ロスにつながる。さらに、無機ＬＥＤ蛍光体、とりわけ赤色発光蛍光体は、更なる効率ロスにつながる、限られた量子効率と比較的広い発光スペクトルとを持つ。
【０００５】
現在、有機蛍光体材料は、例えば、白色光出力を達成するため、青色光を緑色乃至赤色の波長範囲の光に変換するＬＥＤにおける無機蛍光体に取って代わると考えられている。有機蛍光体は、有機蛍光体の発光スペクトルが位置及びバンド幅に対して容易に調整され得るという利点を持つ。有機蛍光体材料は、しばしば、高い透明度についても有し、これは、照明システムの効率が、より光を吸収及び／又は反射する蛍光体材料を用いたシステムに比して改善されるため、好適である。さらに、有機蛍光体は、無機蛍光体よりも大幅に安価である。しかしながら、有機蛍光体は、ＬＥＤの電界発光動作中に生成される熱に対して敏感であるため、リモート配置の装置において主に使用される。
【０００６】
ＬＥＤベースの照明システムに有機蛍光体材料を適用するのを妨げる他の欠点は、光化学的安定性に乏しいことである。有機蛍光体は、酸素の存在下で青色光を照射された場合に、急激に劣化することが知られている。
【０００７】
この課題を解決するために、多くの努力がなされてきた。米国特許公開公報第７，５６０，８２０号は、制御された雰囲気を具備するキャビティを封入する閉じた構造を有する発光ダイオード（ＬＥＤ）を開示している。当該キャビティでは、エミッタ要素と、当該エミッタ要素の近くに置かれた蛍光体と、ゲッタとが配置される。しかしながら、米国特許公開公報第７，５６０，８２０号の装置に用いられるゲッタは、比較的低い酸素ゲッタリング性能を持ち、さらに、装置の組み立て前に活性化されることを必要とする。さらに、当該ゲッタは、酸素の不存在下で当該ゲッタは湿気と反応するため、湿気の存在によって悪影響を受け、結果として、後で装置内に侵入し得る酸素に対して反応しにくくなる。
【課題を解決するための手段】
【０００８】
本発明の目的は、従来技術の課題を少なくとも部分的に克服することであり、有機蛍光体の周囲の環境の改善された制御を有する発光装置を提供することである。
【０００９】
また、長寿命化された有機蛍光体を有する発光装置を提供することも本発明の目的である。
【００１０】
本発明の第１の態様によれば、これらの及び他の目的が、第１の波長の光を放つように構成された光源と、前記第１の波長の光を受け、受けた光の少なくとも一部を第２の波長の光に変換するように構成された波長変換材料を有する波長変換部材と、少なくとも前記波長変換部材を有する封止キャビティを形成するために、前記波長変換部材を少なくとも部分的に囲む封止構造と、を有する、発光装置によって達成される。上記キャビティは、制御された雰囲気を含む。上記発光装置は、封止キャビティ内に配置されたゲッタ材料を更に有し、当該ゲッタ材料は、水の存在下で機能し、及び／又は、反応生成物として水を作り出すように構成される。一般的に、上記ゲッタは、キャビティ内の制御された雰囲気から酸素を取り除くように構成される。波長変換材料は、好ましくは、少なくとも１つの有機波長変換化合物を有する。
【００１１】
本発明者は、水の存在下で機能し、及び／又は、反応生成物として水を作り出すゲッタが、高い酸素除去性能を持ち、この結果、低い酸素含有量を持つ制御された雰囲気がキャビティ内で保たれることを発見した。このため、波長変換材料の寿命が引き延ばされ得る。本発明に従った発光装置では、大容量のキャビティにおいて低い酸素含有量が達成され、及び／又は、比較的高いキャビティ内への酸素拡散率を許容しつつ透過性のシールが使用される。また、キャビティ内部の部品、例えば、蛍光体マトリクス又はキャリア材料から酸素が出てくることも許容され得る。
【００１２】
本発明の実施形態によれば、ゲッタは、鉄などの被酸化性金属、少なくとも１つのプロトン性溶媒加水分解性ハロゲン化合物、及び／又は、プロトン性溶媒加水分解性ハロゲン化合物の付加物、を含む粒子を有する。プロトン性溶媒加水分解性ハロゲン化合物、及び／又は、プロトン性溶媒加水分解性ハロゲン化合物の付加物は、被酸化性金属を有する粒子の上に置かれてもよい。かかる実施形態では、プロトン性溶媒加水分解性ハロゲン化合物、及び／又は、プロトン性溶媒加水分解性ハロゲン化合物の付加物が、ほぼ水分フリーの液体から堆積されてもよい。
【００１３】
上記ハロゲン化合物は、塩化ナトリウム（ＮａＣｌ）、四塩化チタン（ＴｉＣｌ４）、四塩化スズ（ＳｎＣｌ４）、塩化チオニル（ＳＯＣｌ２）、四塩化ケイ素（ＳｉＣｌ４）、塩化ホスホリル（ＰＯＣｌ３）、ｎ−ブチル塩化スズ、塩化アルミニウム（ＡｌＣｌ３）、臭化アルミニウム（ＡｌＢｒ３）、塩化鉄（III）、塩化鉄（II）、臭化鉄（II）、三塩化アンチモン（ＳｂＣｌ３）、五塩化アンチモン（ＳｂＣｌ５）、及び、ハロゲン化酸化アルミニウム（aluminium halide oxide）を含むグループから選択される。これらの材料は、周囲の雰囲気から酸素を取り除く高い能力を持つ。
【００１４】
本発明の実施形態によれば、ゲッタは、鉄などの被酸化性金属と、電解物とを有していてもよい。当該電解物は、一般的に、塩化ナトリウムを有する。かかるゲッタ材料も、周囲の雰囲気から酸素を取り除く高い能力を持つ。
【００１５】
本発明の実施形態によれば、上記ゲッタ材料は、水含有化学物質を更に有する。とりわけ、ゲッタが高い酸素除去能力を提供するために、湿気を必要とする場合、ゲッタ材料と酸素との反応のための水分を提供する水含有化学物質を含むことは好適である。この態様では、たとえ封止キャビティその他が水分を全く含まないか、又は、十分な量の水分を含まないとしても、高性能のゲッタが保証される。これらの実施形態では、オプションで、ゲッタ材料が非電解酸性化成分を更に有していてもよい。
【００１６】
本発明の実施形態によれば、上記の封止構造は、酸素に対して非密封性及び透過性を有する。一般的に、上記の封止構造は、キャビティを封止するためのシールを有し、当該シールは、酸素に対して非密封性及び透過性を有するが、封止構造の残りの部分は非透過性を有する。非密封性の封止は、密封性の封止よりも容易に達成されることができ、材料及び装置設計についての選択自由度が大きくなるため、好適である。
【００１７】
本発明の実施形態によれば、光源は、少なくとも１つのＬＥＤ、好ましくは少なくとも１つの無機ＬＥＤを有していてもよい。
【００１８】
本発明の実施形態によれば、波長変換部材及び光源は、互いに離れて置かれる、即ち、波長変換部材はリモート蛍光体として配置される。かかる蛍光体配置を用いることは、光源、とりわけ１又は複数のＬＥＤを有する光源によって生成される熱により晒されにくい。
【００１９】
本発明の他の実施形態によれば、封止構造は、光源についても封入してもよい。このため、光源も、波長変換部材と同様、上記封止キャビティ内に配置され得る。
【００２０】
なお、本発明は、請求項に記載された特徴の全ての可能な組み合わせに関することに留意すべきである。
【図面の簡単な説明】
【００２１】
本発明の、この及び他の態様が、本発明の実施形態を示す添付の図面を参照して、より詳細に説明されるであろう。
【図１】図１は、本発明に従った発光装置の実施形態の断面図である。
【図２】図２は、本発明に従った発光装置の他の実施形態の切欠き側面図である。
【図３】図３は、本発明に従った発光装置の他の実施形態の切欠き側面図である。
【図４】図４は、時間の関数として有機蛍光体の劣化を示すグラフである。
【図５】図５は、有機蛍光体の寿命に対する湿気の影響を示すグラフである。
【発明を実施するための形態】
【００２２】
図１では、発光装置１００の実施形態が、断面図で示されており、側面から見られている。発光装置１００は、キャビティ１０５を封入し、且つ、基部１０２と光出口部材１０４とを持つ、封止構造１０３を有する。キャビティ内部では、複数のＬＥＤ１０１ａを有する光源１０１が、基部１０２に取り付けられて配置されている。光出口部材１０４は、キャビティ１０５を封止するために設けられたシール１０７により、基部１０２に取り付けられている。上記装置１００は、キャビティ１０５において基部１０２に取り付けられ、且つ、ＬＥＤによって放たれた光を受けるために配置された、リモート波長変換部材１０６を更に有する。ゲッタ１０８は、キャビティ１０５内の基部１０２上に配置されている。基部１０２は、明示されてはいないが、当該技術分野の当業者によって理解されるように、例えば、電気端子及び駆動電子回路を更に有するか、又は、支持する。
【００２３】
波長変換部材１０６は、蛍光体とも称される、波長変換材料を有する。一般的に、波長変換部材は、伝統的な無機蛍光体に比して多くの利点を持つ、有機蛍光体を有する。しかしながら、一般的には酸素などの特定の気体が、好ましくないことに、有機蛍光体の急激な劣化を引き起こすことがある。従って、蛍光体が酸素と反応するのを避け、ひいては蛍光体の寿命を引き延ばすために、通常、密封性の封止がなされ、且つ、キャビティ内が真空又は不活性ガスで満たされる。これまで用いられてきた他の解決法は、蛍光体材料をＬＥＤ素子と一体化させることである。しかしながら、異なる形状及び光特性を持つ異なる種類のランプを製造する場合、蛍光体をリモート素子として配置するのが好適である。さらに、蛍光体がＬＥＤ素子と一体化される代わりに、蛍光体がリモート配置される場合に、より低い温度及び青色光の光束密度のため、蛍光体材料の劣化が遅くなることが分かっている。しかしながら、リモート蛍光体配置は、キャビティ１０５内の酸素などの反応性ガスの量を制御することが特に要求される。酸素を含んだ雰囲気下で装置を封止した結果として、酸素がキャビティ１０５内に存在することがあり、及び／又は、透過性のシールを介してキャビティ１０５に酸素が入ってくることがあり、及び／又は、発光装置の動作中に、キャビティ１０５内の波長変換部材１０６のマトリクス材料などから酸素が排出又は作り出されることがある。
【００２４】
真空又は不活性ガス下での密封は、比較的困難であり高価である。本発明に従った解決法は、より簡単な構造を提供し、これが最も基本的な概念であるが、密封性のシーリングを除外しない。
【００２５】
本発明に従った発光装置のゲッタ１０８は、キャビティ内に存在する気体を吸収することができる。とりわけ、ゲッタは、波長変換素子１０６の有機蛍光体材料にとって有害な、特に酸素ガスなどの気体を吸収するために配置される。ＬＥＤ装置１００の当該構造のため、非密封性のシール、即ち透過性のシールを提供することが可能となる。
【００２６】
再び図１を参照すると、シール１０７は、当該実施形態ではドーム形状の光出口部材１０４の縁に沿って延在している。なお、当該アプリケーションを通じて、光出口部材は、当該技術分野における当業者によって理解されるように、ガラス、適切なプラスティック、又は、バリア薄膜などの光透過性材料で作られた１又は複数の壁を有することに留意すべきである。ゲッタ１０８は、シール１０７に隣接して配置されている。ゲッタ１０８の位置は、とりわけゲッタ１０８が出力光路、即ち、発光装置１００から出て行く光に干渉しないように選択される。ゲッタは、反射器の後ろに置かれてもよい。ゲッタ自体が、反射性材料で作られてもよい。
【００２７】
透過性のシールは、一般的に、エポキシ系接着剤などの有機接着剤である。なお、長期間密封性のシールを保証するシールを提供する追加的なコストをなお避けつつも、実際の透過性が低く保たれることに留意すべきである。
【００２８】
好ましくは、キャビティ１０５は、アルゴン、ネオン、窒素、及び／又は、ヘリウムなどの１又は複数の不活性ガスを含む酸素フリーな雰囲気で満たされる。
【００２９】
図１に示された実施形態を再び参照すれば、リモート波長変換部材１０６は、光出口部材１０４と同様に、ドーム形状のフード状に形成され、酸素フリーな雰囲気がキャビティ全体、即ち、波長変換部材１０６と基部１０２との間と、波長変換部材１０６と光出口部材１０４との間との両方に満たされている。さらに、ゲッタ１０８が、波長変換部材１０６と光出口部材１０４との間に配置されている。
【００３０】
好ましくは、発光装置１００から白色光出力を供給するために、ＬＥＤ１０１ａは、青色発光ＬＥＤであり、リモート波長変換部材１０６は、青色光の一部をより長い波長の光、例えば、黄色、橙色、及び／又は、赤色の光へ変換するために配置されている。
【００３１】
制御された雰囲気、ゲッタ、シール、及びリモート有機蛍光体素子の特性についてこれまで述べてきたことは、特に明示又は暗示されない限り、通常、全ての実施形態に当てはまる。
【００３２】
一般的に、ゲッタ１０８は、酸素ゲッタであり、これは、ゲッタ１０８が、酸素を吸収するか、酸素と反応する材料であることを意味し、従って、キャビティ１０５内の雰囲気から酸素を取り除く。
【００３３】
本発明者は、驚くことに、水の存在が、有機蛍光体の寿命に悪影響を及ぼさず、水の存在下で機能し、及び／又は、酸素ゲッタリング中の反応生成物として水を作り出すゲッタが、ここで説明される発光装置において使用され得ることを発見した。ここで用いられるように、「水」なる用語は、（湿気又は湿度とも称される）気相と液相との両方の状態の水を含むことを意図している。
【００３４】
図４は、４．２Ｗ／ｃｍ２の光束密度を有する４５０ｎｍの光を放つレーザによって照射されたポリ（メタクリル酸メチル樹脂）（ＰＭＭＡ）中、０．１重量％の市販の有機蛍光体Lumogen（登録商標）赤色F-305染料（BASF（登録商標）から入手可能）を含む層から放たれた光の強度を時間関数として示すグラフである。青色光照射下でのF-305蛍光体の劣化のため、F-305蛍光体の発光強度は時間とともに減少している。層内の上記染料による初期吸収は、１０％となるように選択され、従って、強度の低下は、劣化された（もはや発光しない）蛍光体分子の濃度に直接関係し得る。光強度の変化は、有機蛍光体化合物の劣化率に対応する減衰定数ｋを有する、時間の指数関数c(t)=c(0)*e-ktとなることが分かる。
【００３５】
さらに、異なる雰囲気下でのＰＭＭＡマトリクス中の赤色発光有機蛍光体（BASFから入手可能なLumogenの赤F-305）の減衰率ｋが調査された。蛍光体（ＰＭＭＡ中、０．１重量％）が、種々の温度、且つ、４．２Ｗ／ｃｍ２の光束強度で、ａ）乾燥空気（Ｎ２＋Ｏ２）、ｂ）２．５％の水を含んだ空気（Ｎ２＋Ｏ２＋Ｈ２Ｏ）、ｃ）乾燥窒素ガス（Ｎ２）、ｄ）２．５％の水を含んだ窒素ガス（Ｎ２＋Ｈ２Ｏ）の雰囲気下で照射された。温度の逆数（１／Ｔ）の関数として減衰率ｋを示すグラフである図５に上記の結果が表されている。この図から分かるように、水を含んだ窒素ガス（Ｎ２＋Ｈ２Ｏ）における蛍光体の減衰率は、純粋な乾燥窒素（Ｎ２）における減衰率とほぼ同じである。また、２．５％の水を含んだ空気（Ｎ２＋Ｏ２＋Ｈ２Ｏ）における減衰率は、乾燥空気（Ｎ２＋Ｏ２）における減衰率とほぼ異ならないことも分かる。従って、湿気の存在が、蛍光体の減衰率に悪影響を及ぼさないことが結論付けられた。
【００３６】
このため、水の存在下で機能し、及び／又は、化学反応生成物として水を作り出すゲッタが、本発明に従った発光装置において使用され得る。これは、水の存在下で動作し、及び／又は、酸素との反応生成物として水を作り出す多くの酸素ゲッタが高い酸素ゲッタリング能力を持ち、ひいては極めて有効であるため、好適である。本発明に従った発光装置の封止キャビティにおいてかかるゲッタを使用することは、酸素濃度を０．０１％まで低減させ得る。従って、本発明によれば、大容量のキャビティにおいて、及び／又は、キャビティ内への酸素の拡散率が比較的高い透過性のシールが少なくとも部分的に使用された場合、低い酸素含有量が達成され得る。
【００３７】
本ゲッタは、例えば空気中などの、酸素含有量に関し通常の雰囲気状態下で、本発明の発光装置内へ配置されることができる。ここで説明されたゲッタは、比較的緩やかに酸素と反応する。好適には、当該ゲッタは、活性化ステップを必要としない。
【００３８】
本発明の実施形態によれば、ゲッタは、例えば透過性パッチに含まれる透過性キャリア材料の中、又は、透過性キャリア材料の上に付与されるか。あるいは、例えば被覆として、封止構造の内部表面上に付与される、粒子状物質であってもよい。
【００３９】
ゲッタは、鉄、亜鉛、銅、アルミニウム、及び／又は、スズの粒子などの被酸化性金属粒子を有していてもよい。さらに、ゲッタは、塩化ナトリウムなどの電解物を有していてもよい。当該組成は、米国特許公開公報第５，７４４，０５６号又は米国特許公開公報第４，９９２，４１０号に説明されるような、酸性ピロリン酸ナトリウムなどの非電解酸性化化合物を含んでいてもよい。
【００４０】
あるいは、ゲッタは、酸素との反応が、水の存在を必要とするか、又は、水の存在によって促進される材料を有していてもよい。かかるゲッタは、ｉ）被酸化性金属、ｉｉ）少なくとも１つのプロトン性溶媒加水分解性ハロゲン化合物及び／又はプロトン性溶媒加水分解性ハロゲン化合物の付加物を含む被酸化性粒子を有していてもよい。プロトン性溶媒加水分解性ハロゲン化合物及び／又はプロトン性溶媒加水分解性ハロゲン化合物の付加物は、一般的に、国際特許出願公開公報第２００５／０１６７６２号で説明されるような、ほぼ湿気フリーの液体から被酸化性金属上に堆積される。
【００４１】
ゲッタは、プロトン性溶媒中で加水分解性を有するハロゲン化合物を有していてもよい。なお、ハロゲンとしては、塩素及び臭素が好ましい。かかるハロゲン化合物の例は、四塩化チタン（ＴｉＣｌ４）、四塩化スズ（ＳｎＣｌ４）、塩化チオニル（ＳＯＣｌ２）、四塩化ケイ素（ＳｉＣｌ４）、塩化ホスホリル（ＰＯＣｌ３）、ｎ−ブチル塩化スズ、塩化アルミニウム（ＡｌＣｌ３）、臭化アルミニウム（ＡｌＢｒ３）、塩化鉄（III）、塩化鉄（II）、臭化鉄（II）、三塩化アンチモン（ＳｂＣｌ３）、五塩化アンチモン（ＳｂＣｌ５）、及び、ハロゲン化酸化アルミニウム（aluminium halide oxide）を含む。
【００４２】
ゲッタが、酸素と反応するために水の存在を必要とするか、酸素との反応が水の存在によって促進される材料を有する場合、封止キャビティ内でゲッタが意図されたように機能するために十分な水の存在を保証するために、シリカゲルなどの水含有材料が、オプションで、ゲッタに含まれてもよく、及び／又は、ゲッタと一緒に封止キャビティ内に配置されてもよい。
【００４３】
封止キャビティ内の制御された雰囲気は、１００％と等しいか、又は、１００％よりも低い、相対湿度を有する非凝縮雰囲気であってもよい。相対湿度は、好ましくは、１００％よりも小さい、より好ましくは５０％以下である。封止キャビティ内の水分含量は、約１０重量％であってもよく、これは、大気圧下の空気において、５０℃、１００％の相対湿度に対応する。好ましくは、キャビティ内の水分含量は、約３重量％であってもよく、これは、大気圧下の空気において、３０℃、１００％の相対湿度に対応する。より好ましくは、封止キャビティ内の水分含量は、約１．５重量％であってもよく、これは、大気圧下の空気において、２０℃、１００％の相対湿度に対応する。従って、水分含量は、１．５重量％乃至１０重量％の範囲にあってもよい。しかしながら、制御された雰囲気は、とりわけ、水含有材料がゲッタ内に含まれる場合、１．５重量％未満の水分含量を有していてもよい。
【００４４】
図２及び図３を参照するに、他の実施形態において、発光装置は、レトロフィットランプとして提供される。発光装置２００，３００は、ねじ込み口金又は差込口金などの伝統的な口金を備える基部２０２，３０２を有する。さらに、ＬＥＤ装置２００，３００は、キャビティ２０５，３０５を囲む、電球形状の光出口部材２０４，３０４を持つ。ある実施形態（図２参照）では、リモート波長変換部材２０６が、光出口部材２０４の内側に、別個のフード形状の部品として配置されている。当該リモート波長変換部材２０６は、光出口部材２０４から距離をおいて、光源２０１を覆う。ゲッタ２０８は、リモート波長変換部材２０６と光出口部材２０４との間に、シール２０７と隣接して配置されている。これにより、ゲッタ２０８は、出力光路と干渉しない。他の実施形態（図３参照）では、リモート波長変換部材３０６が、光出口部材３０４の内側の被覆として配置され、従って、ゲッタ３０８が、波長変換部材３０６の内側、シール３０７の近傍に位置する。
【００４５】
当該技術分野における当業者は、本発明が上記の好適な実施形態に決して限定されないことを理解する。反対に、多くの修正及び変形が、添付の請求項の範囲内で可能である。例えば、波長変換部材は、ここで説明されたような制御された雰囲気を含んだ第１の封止キャビティを有し、光源が同一のキャビティ内に含まれずに、第１のキャビティの制御された雰囲気と同様又は異なる制御された雰囲気を含み得る第２のキャビティ内に含まれてもよい。あるいは、光源は、いずれのキャビティにも全く含まれなくてもよい。
【図１】
2013545263.tif 000003
【図２】
2013545263.tif 000004
【図３】
2013545263.tif 000005
【図４】
2013545263.tif 000006
【図５】
2013545263.tif 000007
【国際調査報告】
2013545263.tif 000008
2013545263.tif 000009
2013545263.tif 000010